(57)【要約】【課題】  股間防具本体用のプレート状剛体の位置が、競技中にズレることを確実に防止することができると共に、短時間で着脱することができる、利便性の高い格闘技用股間防具を提供する。【解決手段】  プレート状剛体１が吊り下げられるようにして取り付けられていると共に、競技者Ｍの腰に回して被着する非弾性帯状部材製の腰回しベルト２と、この腰回しベルトを競技者Ｍの腰に回して締め付けた状態で、弛まないように止め付けておく面ファスナー式ベルト止め付け機構３と、を防具本体装着用として備えている。【選択図】  図１
2005224509.tif 000002
【特許請求の範囲】
【請求項１】
競技者の股間に当てがわれる略逆三角に整形されたプレート状剛体を、格闘競技の競技中に競技者の股間急所を保護する股間防具本体用として備えている格闘技用股間防具であって、
前記プレート状剛体が吊り下げられるようにして取り付けられていると共に、前記競技者の腰に回して被着する非弾性帯状部材製の腰回しベルトと、この腰回しベルトを前記競技者の腰に回して締め付けた状態で弛まないように止め付けておく面ファスナー式ベルト止め付け機構と、を防具本体装着用として備えていることを特徴とする格闘技用股間防具。
【請求項２】
前記プレート状剛体の下端側部分と腰回しベルトの背中側部分に掛け渡されて取り付けられていると共に、前記競技者の股間に当てがって被着する股回しベルトをベルトの長さが調整可能に備えている請求項１に記載の格闘技用股間防具。
【請求項３】
前記競技者の腰に嵌められると共に、上から腰回しベルトが回されて前記競技者の腰と共締めにされる弾性帯状部材製のループ状下当てベルトを備えている請求項１又は２に記載の格闘技用股間防具。
【発明の詳細な説明】
【技術分野】
【０００１】
本発明は格闘技用股間防具に関し、詳しくは、空手やキックボクシングあるいはテコンドー等の格闘技に使われる用具に係り、特に競技者の股間に当てがわれる略逆三角に整形されたプレート状剛体を格闘競技の競技中に競技者の股間急所を保護する股間防具本体用として備える格闘技用股間防具に関する。
【背景技術】
【０００２】
近年、空手やテコンドー等の試合や練習の際、競技者の股間急所を時として誤って加えられる相手の突きや蹴りから保護するために、図９、１０に示す格闘技用股間防具などが用いられる。図９の股間防具は、股間防具本体用として略逆三角に整形されたプレート状剛体８１を備えていると共に、防具本体装着用として競技者Ｍの腰に嵌められる弾性帯状部材製の胴嵌めベルト８２を備えていて、プレート状剛体８１は布製袋体８３に入れられた状態で、布製袋体８３ごと吊り下げられるようにして胴嵌めベルト８２に取り付けられた構成とされている。
【０００３】
図１０の股間防具も、股間防具本体用として略逆三角に整形されたプレート状剛体９１を備えていると共に、防具本体装着用として競技者Ｍの腰に回して結び付ける非弾性平紐状部材製の胴締め紐９２を備えていて、プレート状剛体９１は吊り下げられて胴締め紐９２に取り付けられた構成とされている。
【０００４】
そして、前者の格闘技用股間防具の場合、図９に示すように、競技者Ｍは胴嵌めベルト８２を腰に嵌めて防具を装着し、競技者Ｍの股間にプレート状剛体８１を当てがうことで、股間急所を誤って加えられる相手の突きや蹴りから護る。後者の格闘技用股間防具の場合も、図１０に示すように、競技者Ｍは胴締め紐９２を腰に回して結び付けて装着し、競技者Ｍの股間にプレート状剛体９１を当てがい、股間急所を護る。
【発明の開示】
【発明が解決しようとする課題】
【０００５】
しかしながら、図９の格闘技用股間防具は、胴嵌めベルト８２の腰への止め付け力が胴嵌めベルト８２の弾性力だけに頼る構造であるため、胴嵌めベルト８２の腰への止め付け力が不足しがちとなり、競技中の激しい動きによって、往々にして胴嵌めベルト８２が腰周りの向きに動いてプレート状剛体８１の位置がズレてしまうという問題がある。プレート状剛体８１の位置がズレてしまうと、股間急所の保護は不完全となる。
【０００６】
また、図１０に示した格闘技用股間防具は、胴締め紐９２を競技者Ｍの腰に回してしっかり結び付けたり、逆にしっかり結び付けられている胴締め紐９２を解いたりするのに少なくない手間がかかり、防具の着脱に時間を要するという問題がある。着脱に時間がかかるような格闘技用股間防具は、不便であり実用的とは言えない。しかも、激しい動きの間に胴締め紐９２が肌を傷つ易いという問題もあり、のみならず競技中は腹式呼吸が行われることから、胴締め紐９２が緩み易いという問題もある。
【０００７】
そこで、本発明は上記従来技術の有する問題点に鑑みてなされたもので、その課題は、股間防具本体用のプレート状剛体の位置が競技中にズレることを確実に防止することができると共に、短時間で着脱することができる、利便性の高い格闘技用股間防具を提供することにある。
【課題を解決するための手段】
【０００８】
上記課題は、請求項記載の発明により達成される。すなわち、本発明に係る格闘技用股間防具の特徴構成は、競技者の股間に当てがわれる略逆三角に整形されたプレート状剛体を、格闘競技の競技中に競技者の股間急所を保護する股間防具本体用として備えている格闘技用股間防具であって、前記プレート状剛体が吊り下げられるようにして取り付けられていると共に、前記競技者の腰に回して被着する非弾性帯状部材製の腰回しベルトと、この腰回しベルトを前記競技者の腰に回して締め付けた状態で弛まないように止め付けておく面ファスナー式ベルト止め付け機構と、を防具本体装着用として備えていることにある。
【０００９】
この構成によれば、格闘技用股間防具（以下、適宜「股間防具」と略記）を装着する時は、股間防具本体用のプレート状剛体が吊り下げられるようにして取り付けられている腰回しベルトを、プレート状剛体が保護対象の股間急所に位置するようにして競技者の腰に回して締め付けてから、その状態で腰回しベルトを面ファスナー式ベルト止め付け機構で弛まないように止め付ける。そうすると、競技者の股間急所にプレート状剛体が当てがわれるので、股間急所を誤って加えられる相手の突きや蹴りの衝撃から護ることができる。
【００１０】
そして、股間防具本体用のプレート状剛体を止め付ける腰回しベルトが非弾性帯状部材製であるので、面ファスナー式ベルト止め付け機構で腰回しベルトを止め付けた時の腰回しベルトの締め付け力が、そのまま腰回しベルトの腰への止め付け力となる。したがって、面ファスナー式ベルト止め付け機構で腰回しベルトを止め付ける際にベルトをしっかり締め付けておけば、腰回しベルトの止め付け力は強くなり、腰回しベルトが競技者の腰にしっかり止め付けられる結果、競技中に激しい動きがあっても腰回しベルトは動かず、プレート状剛体の位置ズレは起こらない。その結果、本発明の股間防具によれば、股間防具本体用のプレート状剛体の位置が競技中にズレることを確実に防止することができる。
【００１１】
同時に、本発明の股間防具の場合、腰回しベルトを競技者の腰に止め付ける面ファスナー式ベルト止め付け機構を備えていて、股間防具の装着の際は、腰回しベルトを競技者の腰部へ回して締め付けるのに続けて、面ファスナー式ベルト止め付け機構によって事実上ワンタッチで腰回しベルトの止め付けを実施すれば、股間防具が装着できる。逆に股間防具の離脱の際は、面ファスナー式ベルト止め付け機構による腰回しベルトの止め付けを事実上ワンタッチで解除するのに続けて、腰回しベルトを外せば股間防具が離脱できる。よって、本発明の股間防具によれば、股間防具を短時間で着脱することができる。
【００１２】
前記プレート状剛体の下端側部分と腰回しベルトの背中側部分に掛け渡されて取り付けられていると共に、前記競技者の股間に当てがって被着する股回しベルトをベルトの長さが調整可能に備えていることが好ましい。
【００１３】
この構成によれば、股間防具の装着の際、競技者の股間に当てがわれた股回しベルトは、プレート状剛体の下端側部分と腰回しベルトの背中側部分に掛け渡されて取り付けられているので、腰回しベルトを締め付けるに連れて、股回しベルトも股を締め上げるようにして締め付けられ、腰回しベルトの止め付けに伴って、同様に競技者の腰にしっかり止め付けられる。したがって、競技者の腰に止め付けられた腰回しベルトと股回しベルトの両方により、股間防具本体用のプレート状剛体が強固に固定され、股間防具本体用のプレート状剛体の位置が競技中にズレることをより確実に防止することができる。
【００１４】
なお、腰回しベルトの締め付けに連れて股回しベルトも締め付けられるようになるには、股回しベルトが適当な長さでなければならないが、股回しベルトはベルトの長さが調整できるので、競技者は初回装着時のみ股回しベルトの長さを自らの股に合わせて調整しておけば、腰回しベルトの着け外しに伴って、股回しベルトの着け外しも自ずと行なわれ、股回しベルトが備わったからといって、事実上、股間防具の着脱に余分な手間がかかることはない。
【００１５】
前記競技者の腰に嵌められると共に、上から腰回しベルトが回されて前記競技者の腰と共締めにされる弾性帯状部材製のループ状下当てベルトを備えていることが好ましい。
【００１６】
この構成によれば、股間防具を装着する際、ループ状下当てベルトを腰に嵌めて上から腰回しベルトを回して締め付けるようにする。したがって、腰回しベルトと競技者の腰の間にループ状下当てベルトが介在するので、腰回しベルトをより強く締め付けても競技者が苦痛を覚えることはない。したがって、腰回しベルトをより強く締め付けて、競技者の腰に腰回しベルトを更にしっかり止め付けられるので、股間防具本体用のプレート状剛体の位置が競技中にズレることをより確実に防止することができる。
【００１７】
なお、ループ状下当てベルトは股間防具の装着時に腰に嵌めたり、外したりするだけのことであるため、ループ状下当てベルトが備わったからといって、事実上、股間防具の着脱に余分な手間がかかることはない。また、弾性帯状部材製の下当て用ループ状ベルトは自身の弾性力と腰回しベルトによる締め付け力の両方で競技者の腰にしっかり止め付けられるので、競技中に激しい動きがあっても下当て用ループ状ベルトも、その上の腰回しベルトも動いたりしない。
【発明を実施するための最良の形態】
【００１８】
本発明の実施形態を、図面を参照して詳細に説明する。
〈第１実施形態〉
図１は、第１実施形態に係る格闘技用股間防具の装着状況を正面から見て示す斜視図、図２は、第１実施形態の股間防具の装着状況を示す背面図、図３は、第１実施形態の股間防具を非装着状態で示す正面図、図４は、第１実施形態の股間防具を非装着状態で示す背面図であり、図３および図4 は、一点鎖線で示す布製袋体を透視して示す。なお、第１実施形態の股間防具が使われる格闘技としては、空手やキックボクシング、テコンドー等を例示できる。
【００１９】
第１実施例の股間防具は、競技者Ｍの股間に当てがわれる略逆三角に整形されたプレート状剛体１を、格闘競技の競技中に競技者Ｍの股間急所を保護する股間防具本体用として防具正面に備える。プレート状剛体１の材料としては、ＡＢＳ樹脂などの耐衝撃性に優れた樹脂材料や、アルミニウム等の軽量性に優れた金属材料が例示される。股間防具が男性用の場合は、プレート状剛体１が股間の膨らみをカバーするように前方に突出している。股間防具が女性用の場合は、プレート状剛体１の前方への突出の程度は男性用に比べて少なくなる。
【００２０】
この第１実施形態の股間防具の場合、プレート状剛体１が吊り下げられるようにして取り付けられていると共に、競技者Ｍの腰に回して被着する非弾性帯状部材製の腰回しベルト２と、この腰回しベルト２を競技者Ｍの腰に回して締め付けた状態で、弛まないように止め付けておく（通常マジックテープ等とも称される）面ファスナー式ベルト止め付け機構３と、を防具本体装着用として備えている。
【００２１】
図１〜図３に示すように、腰回しベルト２は、正面側ベルトピース２Ａと背面側ベルトピース２Ｂとからなり、図３に示すように、プレート状剛体１の上部側の左右に穿設された開孔１Ａ，１Ｂの片方から入れて他方より出すようにして、正面側ベルトピース２Ａを引き通すことにより、プレート状剛体１が吊り下げられて、腰回しベルト２に取り付けられる。また、図４に示すように、正面側ベルトピース２Ａと背面側ベルトピース２Ｂの間に、中継用の長方形型リング２ａ、２ｂが配設されており、正面側ベルトピース２Ａの一端側が長方形型リング２ａに通されてから折り返されていて、正面側ベルトピース２Ａの他端側が長方形型リング２ｂに通されてから折り返されている。このようにして、正面側ベルトピース２Ａが長方形型リング２ａ、２ｂと係合している。尚、長方形型リング２ａ、２ｂの材質は、樹脂、金属（アルミニウム等の軽金属が好ましい）などでできており、ある程度の強度があれば特に限定されるものではない。
【００２２】
背面側ベルトピース２Ｂの一端側は、長方形型リング２ａに通されてから折り返された後でベルト自身に固定されており、背面側ベルトピース２Ｂの他端側が長方形型リング２ｂに通された後、折り返されてから固定されていることにより、背面側ベルトピース２Ｂが長方形型リング２ａ、２ｂと係合している。そして、正面側ベルトピース２Ａと背面側ベルトピース２Ｂは、長方形型リング２ａ、２ｂとの係合を介して相互に繋ぎ合わされて一本のベルトを構成する。
【００２３】
更に、腰回しベルト２の場合、図３に示すように、正面側ベルトピース２Ａの一端側と他端側のそれぞれに、止め付け側ファスナーピース３Ａと受け止め側ファスナーピース３Ｂとからなる面ファスナー式ベルト止め付け機構３が配置されており、止め付け側ファスナーピース３Ａを受け止め側ファスナーピース３Ｂに押し当てるだけで、腰回しベルト２の止め付けを、事実上ワンタッチで実施できる。逆に、止め付け側ファスナーピース３Ａを受け止め側ファスナーピース３Ｂから引き剥がすだけで、腰回しベルト２の止め付けを事実上ワンタッチで解除できる。止め付け側ファスナーピース３Ａと受け止め側ファスナーピース３Ｂの長さは、競技者の腰まわりサイズの大小に対応できるように１５〜２０ｃｍ程度とすることができる。
【００２４】
また、第１実施形態の股間防具の場合、図３、図４（ｂ）に示すように、プレート状剛体１の下端側部分と腰回しベルト２の背中側部分に掛け渡されるようにして取り付けられていると共に、競技者Ｍの股間に当てがって被着する股回しベルト４を、ベルトの長さが調整できるようにして備えている。すなわち、股回しベルト４の一端側は、その先端がプレート状剛体１の下端側部分の裏側に取り付けられていて、プレート状剛体１の開孔１Ｃから表側に引き出されてから背中側へ回されている。具体的には、股回しベルト４の一端側の先端を結んで拳状にし、開孔１Ｃから抜け出ないないようにして、股回しベルト４の一端側の先端をプレート状剛体１の下端側部分へ取り付けている。
【００２５】
一方、股回しベルト４の他端側は、背面側ベルトピース２Ｂで折り返された後、面ファスナー式ベルト固定機構５で止め付けられて背面側ベルトピース２Ｂと係合することにより、取り付けられている。面ファスナー式ベルト固定機構５は、図４（ａ）に示すように、股回しベルト４の他端側に設けられた止め付け側ファスナーピース５Ａと、その手前側に設けられた受け止め側ファスナーピース５Ｂとからなり、止め付け側ファスナーピース５Ａと受け止め側ファスナーピース５Ｂの止め付け位置を変更することにより、簡単に股回しベルト４の長さが調節できるようになっている。
【００２６】
更に、この股間防具の場合、図１〜図４（ｂ）に示すように、競技者Ｍの腰に嵌められると共に、上から腰回しベルト２が回されて、競技者Ｍの腰と共締めにされる弾性太帯状部材製のループ状下当てベルト６を備えている。ループ状下当てベルト６は、腰回しベルト２の約３倍程度の幅があり、競技者Ｍが手でループ状下当てベルト６を引き伸ばしながら、腰に嵌めてから手を離すと、ループ状下当てベルト６は、自身の弾性特性で縮むのに伴って競技者Ｍの腰を締めつけ止め付けられる。
【００２７】
ループ状下当てベルト６の表面には、周方向に沿ってベルト掛けピース７が複数個取り付けられており、ベルト掛けピース７に腰回しベルト２が通されて、ループ状下当てベルト６を競技者Ｍの腰に嵌めるのに伴って、腰回しベルト２も落ちることなく、ループ状下当てベルト６の表面に留まる構成とされている。
【００２８】
加えて、ループ状下当てベルト６の正面には布製袋体８が下げられており、布製袋体８の中にプレート状剛体１が収納されている。布製袋体８は、その上端側がループ状下当てベルト６の下側部分に固定されていて、ホック８Ａを外すことにより、袋の口が開けられる構成となっているのに加え、図４（ｂ）に示すように、下端側に設けられた小孔８Ｂから股回しベルト４が引き出されている。したがって、プレート状剛体１は布製袋体８で吊り下げ状態が保持されていることにもなり、プレート状剛体１は股間急所の位置により安定して留まる。
【００２９】
更に、第１実施形態の股間防具の場合、図１〜図４（ｂ）に示すように、プレート状剛体１の下側部分とループ状下当てベルト６の正面下側の左右の間に掛け渡されている弾性細帯状部材製の太もも嵌入用ベルト９，９を備えている。ループ状下当てベルト６を腰に嵌める際に、左右の足を太もも嵌入用ベルト９，９の内側に入れるようにすれば、競技者Ｍの太ももが太もも嵌入用ベルト９，９の内側に嵌まり込んで、股間防具を左右から競技者Ｍの腰に引き付ける働きをするので、プレート状剛体１は股間急所の位置に安定して留まる。
【００３０】
以上に説明した第１実施形態の股間防具を装着するとき、競技者Ｍは、左右の各足を太もも嵌入用ベルト９，９の内側に入れながら股回しベルト４を股間に当てるようにすると共に、プレート状剛体１が正面となるようにして、ループ状下当てベルト６を腰に嵌める。ループ状下当てベルト６が腰に嵌まるのに伴って、腰回しベルト２も競技者Ｍの腰に回されるので、競技者Ｍは、図５に示すように、正面側ベルトピース２Ａの右端側と左端側のそれぞれを左手と右手で掴み、強く引いて腰回しベルト２を締め付け、そのまま止め付け側ファスナーピース３Ａを受け止め側ファスナーピース３Ｂに押し当て腰回しベルト２の止め付けを（事実上ワンタッチで）実施すれば、股間防具の装着ができる。股間防具を装着すると、競技者Ｍの股間急所にプレート状剛体１が当てがわれるので、股間急所を誤って加えられる相手の突きや蹴りから護ることができる。
【００３１】
逆に、第１実施形態の股間防具の離脱時は、止め付け側ファスナーピース３Ａを受け止め側ファスナーピース３Ｂから引き剥がして腰回しベルト２の止め付けを解除してから、ループ状下当てベルト６を腰回しベルト２等と一緒に競技者Ｍの腰から外せば、股間防具の離脱ができる。よって、第１実施形態の股間防具によれば、股間防具を短時間で着脱することができる。
【００３２】
そして、第１実施形態の股間防具の場合、プレート状剛体１を止め付ける腰回しベルト２が非弾性帯状部材製であるので、面ファスナー式ベルト止め付け機構３で腰回しベルト２を止め付けた時の腰回しベルト２の締め付け力が、そのまま腰回しベルト２の腰への止め付け力となる。したがって、面ファスナー式ベルト止め付け機構３で腰回しベルト２を止め付ける際に、ベルトをしっかり締め付けておけば、腰回しベルト２の止め付け力は強くなり、腰回しベルト２が競技者Ｍの腰にしっかり止め付けられる。その結果、競技中に激しい動きがあっても腰回しベルト２は動かず、プレート状剛体１の位置ズレは起こり難い。よって、第１実施形態の股間防具によれば、股間防具本体用のプレート状剛体１の位置が競技中にズレることを、確実に防止できる。
【００３３】
また、第１実施形態の股間防具によれば、股間防具の装着の際、競技者Ｍの股間に当てがわれた股回しベルト４は、プレート状剛体１の下端側部分と腰回しベルト２の背中側部分に掛け渡されるようにして取り付けられているので、腰回しベルト２を締め付けるのに連れて、股回しベルト４も股を締め上げるように締め付けられ、腰回しベルト２の止め付けに伴って、同様に競技者Ｍの腰にしっかり止め付けられる。したがって、競技者Ｍの腰に止め付けられた腰回しベルト２と股回しベルト４の両方でプレート状剛体１が強固に固定される結果、プレート状剛体１の位置が競技中にズレるのをより確実に防止できる。
【００３４】
なお、腰回しベルト２の締め付けに連れて、股回しベルト４も締め付けられる為には、股回しベルト４が適当な長さでなければならないが、股回しベルト４はベルトの長さが調整できるので、競技者Ｍは初回装着時のみ股回しベルト４の長さを自らの股に合わせて調整しておけば、腰回しベルト２の着け外しに伴って股回しベルト４の着け外しも、自ずと行なわれ、股回しベルト４が備わったからといって、事実上、股間防具の着脱に余分な手間がかかることはない。
【００３５】
更に、股間防具の装着の際、ループ状下当てベルト６を腰に嵌めて上から腰回しベルト２を回して締め付ける。したがって、腰回しベルト２と競技者Ｍの腰の間にループ状下当てベルト６が介在するので、腰回しベルト２をより強く締め付けても、競技者Ｍが苦痛を覚えることはない。したがって、腰回しベルト２をより強く締め付けて、競技者Ｍの腰に腰回しベルト２を更にしっかり止め付けられるので、プレート状剛体１の位置が競技中にズレるのをより確実に防止できる。なお、ループ状下当てベルト６が備わったからといって、ループ状下当てベルト６は股間防具の装着時に単に腰に嵌めたり、外したりするだけであるので、事実上、股間防具の着脱に余分な手間がかかることはない。また、弾性帯状部材製の下当て用ループ状ベルト６は、自身の弾性力と腰回しベルト２による締め付け力の両方で、競技者Ｍの腰にしっかり止め付けられるので、競技中に激しい動きがあっても下当て用ループ状ベルト６も、その上の腰回しベルト２も動き難くなる。
【００３６】
加えて、股間防具を左右から競技者Ｍの腰に引き付けてプレート状剛体１を股間急所の位置により、安定して留まらせる太もも嵌入用ベルト９についても、ループ状下当てベルト６を腰に嵌める際に、単に左右の足を太もも嵌入用ベルト９の内側に入れるだけであるので、太もも嵌入用ベルト９が備わったからといって、股間防具の着脱に余分な手間がかかることはない。
〈第２実施形態〉
図６は、第２実施形態の股間防具を非装着状態で示す正面図、図７は、第２実施形態の股間防具を非装着状態で示す背面図であり、図６と図７は、一点鎖線で示す布製袋体を透視して示す。第２実施形態の股間防具は、図６、図７（ａ），（ｂ）に示すように、腰回しベルト１２と面ファスナー式ベルト止め付け機構１３まわりの構成が、以下に述べるよう相違点の他は、第１実施形態の股間防具と実質的に同じものであるので、共通する点の説明は省略し、相違する点についてのみ説明する。
【００３７】
腰回しベルト１２は、正面側ベルトピース１２Ａと背面側ベルトピース１２Ｂとからなり、プレート状剛体１の上部側の左右に穿設された開孔１Ａ，１Ｂの片方から入れて他方より出すようにして、正面側ベルトピース１２Ａを引き通すことにより、プレート状剛体１が吊り下げられ腰回しベルト１２に取り付けられている。また、正面側ベルトピース１２Ａと背面側ベルトピース１２Ｂの間には、中継用の長方形型リング１２ａ、１２ｂが配設されており、正面側ベルトピース１２Ａの一端側が長方形型リング１２ａに通されてから折り返された後、ベルト自身に固定されて、正面側ベルトピース１２Ａの他端側が長方形型リング１２ｂに通されてから折り返された後、ベルト自身に固定されていることによって、正面側ベルトピース１２Ａが長方形型リング１２ａ、１２ｂと係合する。更に、背面側ベルトピース１２Ｂの一端側が長方形型リング１２ａに通されてから折り返されていて、背面側ベルトピース１２Ｂの他端側が長方形型リング１２ｂに通された後、折り返されていることにより、背面側ベルトピース１２Ｂが長方形型リング１２ａ、１２ｂと係合している。そして、正面側ベルトピース１２Ａと背面側ベルトピース１２Ｂは長方形型リング１２ａ、１２ｂとの係合を介して、相互に繋ぎ合わされて一本のベルトを構成している。
【００３８】
更に、腰回しベルト１２の場合、背面側ベルトピース１２Ｂの一端側と他端側のそれぞれに、止め付け側ファスナーピース１３Ａと受け止め側ファスナーピース１３１３Ｂとからなる面ファスナー式ベルト止め付け機構１３が配置されている。そのため、止め付け側ファスナーピース１３Ａを受け止め側ファスナーピース１３Ｂに押し当てるだけで、腰回しベルト１２の止め付けを事実上ワンタッチで実施でき、逆に、止め付け側ファスナーピース１３Ａを受け止め側ファスナーピース１３Ｂから引き剥がすだけで、腰回しベルト１２の止め付けを事実上ワンタッチで解除できる。止め付け側ファスナーピース１３Ａと受け止め側ファスナーピース１３Ｂの長さは、競技者の腰まわりサイズの大小に対応できるように１５〜１２０ｃｍ程度とする。
【００３９】
以上に説明した第２実施形態の股間防具を装着するには、競技者Ｍは、左右の各足を太もも嵌入用ベルト９，９の内側に入れながら股回しベルト４を股間に当てるようにすると共に、プレート状剛体１が正面となるようにして、ループ状下当てベルト６を腰に嵌める。ループ状下当てベルト６が腰に嵌まるのに伴って、腰回しベルト１２も競技者Ｍの腰に回されるので、競技者Ｍは、図８に示すように、背面側ベルトピース１２Ａの右端側と左端側のそれぞれを左手と右手で掴んで強く引くことにより、腰回しベルト１２を締め付け、そのまま止め付け側ファスナーピース１３Ａを受け止め側ファスナーピース１３Ｂに押し当て腰回しベルト１２の止め付けを（事実上ワンタッチで）実施すれば、股間防具の装着ができる。
〈変形例〉
上記実施形態において、腰回しベルト２，１２は夫々正面側ベルトピースと背面側ベルトピースとから構成される例を示したが、必ずしも正面側ベルトピースと背面側ベルトピースとに分割されるものに限定されるものではなく、これらが一体のベルトからなっているものでもよい。
【図面の簡単な説明】
【００４０】
【図１】本発明に係る第１実施形態の股間防具の装着状況を正面方向から見た斜視図
【図２】図１の股間防具の装着状況を示す背面図
【図３】図１の股間防具を非装着状態で示す正面図
【図４】図１の股間防具を非装着状態で示す背面図
【図５】図１の股間防具の腰回しベルトの締め付け状況を示す正面図
【図６】本発明に係る第２実施形態の股間防具を非装着状態で示す正面図
【図７】図６の股間防具を非装着状態で示す背面図
【図８】図６の股間防具の腰回しベルトの締め付け状況を示す正面図
【図９】従来技術の股間防具を装着状態で示す斜視図
【図１０】従来の他の股間防具例を装着状態で示す斜視図
【符号の説明】
【００４１】
１                プレート状剛体
２，１２          腰回しベルト
３，１３          面ファスナー式ベルト止め付け機構
４                股回しベルト
５                面ファスナー式ベルト固定機構
６                ループ状下当てベルト
Ｍ                競技者
【図１】
2005224509.tif 000003
【図２】
2005224509.tif 000004
【図３】
2005224509.tif 000005
【図４】
2005224509.tif 000006
【図５】
2005224509.tif 000007
【図６】
2005224509.tif 000008
【図７】
2005224509.tif 000009
【図８】
2005224509.tif 000010
【図９】
2005224509.tif 000011
【図１０】
2005224509.tif 000012